(57)【要約】【課題】はね上げ扉の操作が容易な前記家具を提示することである。【解決手段】少なくとも家具（１）に可動式はね上げ扉を備えた家具（１）で、少なくともはね上げ扉（２）を閉位置から開位置に動かすために、家具（１）は駆動装置（４）によって作動する突出し部（５）を備えた突出し装置（３）を有している。【選択図】図２ｅ
0003121942.tif 000002
【実用新案登録請求の範囲】
【請求項１】
家具（１）が駆動装置（４）によって作動する突出し部（５）によりはね上げ扉（２）を閉位置から開位置に動かす突出し装置（３）を有し、はね上げ扉（２）は一体構造で家具（１）とはヒンジで結合していることを特徴とする少なくとも可動式はね上げ扉を備えた家具。
【請求項２】
家具（１）が駆動装置（４）によって作動する突出し部（５）によりはね上げ扉（２）を閉位置から開位置に動かす突出し装置（３）を有し、はね上げ扉（２）は少なくとも２分割構造で、少なくとも第１部分はね上げ扉（２）は家具とヒンジで結合され、第２部分はね上げ扉（２′）は主に水平軸（９′）で第１部分
はね上げ扉（２）と結合したことを特徴とする少なくとも可動式はね上げ扉を備えた家具。
【請求項３】
家具（１）が駆動装置（４）によって作動する突出し部（５）によりはね上げ扉（２）を閉位置から開位置に動かす突出し装置（３）を有し、はね上げ扉（２）が家具（１）の後方に回転するようにしたことを特徴とする少なくとも可動式はね上げ扉を備えた家具。
【請求項４】
家具（１）が駆動装置（４）によって作動する突出し部（５）によりはね上げ扉（２）を閉位置から開位置に動かす突出し装置（３）を有し、はね上げ扉（２）は主にその開閉過程で家具（１）の前面と平行して可動することを特徴とする少なくとも可動式はね上げ扉を備えた家具。
【請求項５】
駆動装置（４）が少なくとも主に固定式のエネルギー蓄積装置を有していることを特徴とする請求項１から４までのいずれか１項に記載の家具。
【請求項６】
エネルギー蓄積装置を利用者が手動で充電できることを特徴とする請求項５に記載の家具。
【請求項７】
エネルギー蓄積装置は少なくともその一部は電気的に、望ましくは電動機によって充電できるものであることを特徴とする請求項５または６に記載の家具。
【請求項８】
エネルギー蓄積装置が少なくとも変換的または回転的スプリングを有していることを特徴とする請求項５から７までのいずれか１項に記載の家具。
【請求項９】
エネルギー蓄積装置が少なくとも流体式蓄積装置を有していることを特徴とする請求項５から８までのいずれか１項に記載の家具。
【請求項１０】
エネルギー蓄積装置が少なくとも電磁石を有していることを特徴とする請求項５から９までのいずれか１項に記載の家具。
【請求項１１】
はね上げ扉（２）が開いたときにエネルギー蓄積装置が充電されることを特徴とする請求項５から１０までのいずれか１項に記載の家具。
【請求項１２】
はね上げ扉（２）が閉じたときにエネルギー蓄積装置が充電されることを特徴とする請求項５から１０までのいずれか１項に記載の家具。
【請求項１３】
はね上げ扉（２）がはね上げ扉（２）の閉位置に相当する第１最終位置（Ｘ）を有し、はね上げ扉（２）は圧力作用によってこの第１最終位置（Ｘ）から閉じる方向の家具により近い第２最終位置（Ｙ）に可動することを特徴とする請求項１から１２までのいずれか１項に記載の家具。
【請求項１４】
エネルギー蓄積装置が第２最終位置で解除されることを特徴とする請求項５から１３までのいずれか１項に記載の家具。
【請求項１５】
エネルギー蓄積装置がはね上げ扉（２）が閉じて第１最終位置に到達する前に完全に充電され、はね上げ扉（２）はフィーダーによって第２最終位置に可動することを特徴とする請求項１３または１４のいずれか１項に記載の家具。
【請求項１６】
駆動装置（４）が、はね上げ扉（２）または家具（１）のいずれか少なくとも一方とともに緩いストッパーに作用することを特徴とする請求項１から１５までのいずれか１項に記載の家具。
【請求項１７】
駆動装置（４）が、はね上げ扉（２）または家具（１）のいずれか少なくとも一方とともにギヤによって作用することを特徴とする請求項１から１５までのいずれか１項に記載の家具。
【請求項１８】
駆動装置（４）が家具（１）に配置されていることを特徴とする請求項１から１５までのいずれか１項に記載の家具。
【請求項１９】
駆動装置（４）がはね上げ扉（２）に配置されていることを特徴とする請求項１から１７までのいずれか１項に記載の家具。
【請求項２０】
駆動装置（４）が電動機またはソレノイドを有していることを特徴とする請求項１から１９までのいずれか１項に記載の家具。
【請求項２１】
駆動装置（４）が、少なくとも機械的または電気的な手段のいずれかによって主に動作する操作装置（１０、１０′）によって操作されることを特徴とする請
求項１から２０までのいずれか１項に記載の家具。
【請求項２２】
駆動装置（４）が少なくとも水平軸の周りではね上げ扉（２）を動かすために備えられている回転式レバー（１５）を作動させることを特徴とする請求項１から２１までのいずれか１項に記載の家具。
【請求項２３】
レバー（１５）の一方が家具（１）に、もう一方がはね上げ扉（２）に回転できるようにヒンジで連結されていることを特徴とする請求項２２に記載の家具。
【請求項２４】
はね上げ扉（２）を可動するために少なくとも２つが連結されているレバー（１５、１５′）を備えていることを特徴とする請求項２２または２３のいずれか
に記載の家具。
【請求項２５】
突出し装置（３）が少なくとも２つのレバー（１５、１５′）の間で作用する
ことを特徴とする請求項２４に記載の家具。
【請求項２６】
突出し装置（３）の一部が家具（１）に、別の一部がはね上げ扉（２）に配置され、突出し装置（３）の両方の部品が常に相互に連結していることを特徴とする請求項１から２５までのいずれか１項に記載の家具。
【請求項２７】
突出し部（５）が少なくともタペットによって構成されていることを特徴とする請求項１から２６までのいずれか１項に記載の家具。
【請求項２８】
タペットが少なくとも２つの伸縮可能式配置の部品を有し、主に部品の可動を互いに抑制することを特徴とする請求項２７に記載の家具。
【請求項２９】
突出し部（５）が少なくとも回転式のレバー（１１）によって構成されていることを特徴とする請求項１から２６までのいずれか１項に記載の家具。
【請求項３０】
レバー（１１）が少なくともホイール（１２）を有し、ときにははね上げ扉（２）の内側で回転することを特徴とする請求項２９に記載の家具。
【考案の詳細な説明】
【技術分野】
【０００１】
本考案は、家具に１つ又は複数の可動式はね上げ扉を配置した家具に関する。
【背景技術】
【０００２】
この種の家具は台所で例えば壁掛戸棚または止部戸棚として使用され、家具本体にはね上げ扉ないしカバーが可動式で配置されている。はね上げ扉のさまざまな可動形式によって設置場所に適切に配置することができ、はね上げ扉が上に開くので家具内の備品取り出しを邪魔しない。台所で作業する人の支障にならないように一定の高さに取り付けられるが、状況によってははね上げ扉の操作が困難となる。
【考案の開示】
【考案が解決しようとする課題】
【０００３】
本考案の課題は、はね上げ扉の操作が容易な前記家具を提示することである。
【課題を解決するための手段】
【０００４】
考案では、駆動装置によって１つ又は複数のはね上げ扉を閉位置から開位置に動かす突出し部を有する突出し装置を家具に配置するという有利な形態で解決している。
【０００５】
特にはね上げ扉が重かったり操作しにくいはね上げ扉を開位置に動かすには、突出し装置が適している。さらにグリップや取っ手のないはね上げ扉を快適に開位置に動かすことができる。
【０００６】
優先形態としては、主に家具本体および／または調整アームの水平軸に配置した上部に開くはね上げ扉で、調整アームは家具本体の側板に回転できるように固定され、はね上げ扉を動かす。
【０００７】
考案のひとつの実施例では、はね上げ扉が一体構造で回転式で家具と連結している形態となっている。家具の天板の水平軸をはね上げ扉が回転するように固定し、上方に開く配置には有利である。はね上げ扉は天板下部のヒンジによって固定される形式となっている（上部はね上げ扉）。
【０００８】
それとは別に、少なくともはね上げ扉が２分割以上の構造となっている考案もある。第１部分はね上げ扉はヒンジで家具と連結し、第２部分はね上げ扉は主に水平軸で第１部分はね上げ扉とヒンジで連結している。両方の部分はね上げ扉の回転軸が並行に配置され、および／または両方の部分はね上げ扉が閉位置で連続する形態となっている。はね上げ扉が開位置に動かすと、第１部分はね上げ扉は家具本体上部の外側に回転し、第２部分はね上げ扉は家具本体上部の内側に回転し、はね上げ扉は開位置で折り重なる（上部折畳みはね上げ扉）。
【０００９】
考案の別形態では、はね上げ扉が家具上部の後方へ回転する形式となっている（上部旋回はね上げ扉）。
【００１０】
最後に挙げるもう１つの形態は、はね上げ扉が主としてその開閉過程で家具の前面と平行する形態である（上部昇降はね上げ扉）。
【００１１】
いずれのはね上げ扉も、スプリング装置によって作動する調整アームを有し、スプリング装置ははね上げ扉の重心調整または均衡を図る。
【００１２】
駆動装置は少なくともロック可能なエネルギー蓄積装置を有しているという特徴がある。エネルギー蓄積装置の作動やはね上げ扉が不意に開くのを防止するため、エネルギー蓄積装置をロックできる有利な形態となっている。
【００１３】
エネルギー蓄積装置にエネルギーを充電するときは、利用者が手動で充電することができる。エネルギー蓄積装置を電気的な、好ましくは電動機により充電できるならば代替または補充に有利な面がある。利用者が得るエネルギーとエネルギー蓄積装置の充電に必要なエネルギーが一致することはそれ程重要でない。
【００１４】
「エネルギー蓄積装置」という用語にはさまざまな意味がある。ひとつの形態として、エネルギー蓄積装置が少なくとも変換的または回転的なスプリングを有する形態がある。エネルギー蓄積装置が少なくとも流体圧蓄積装置を有するバリエーションもある。流体圧蓄積装置は作動流体を充填したシリンダー／ピストンユニットとして構成される。また、エネルギー蓄積装置が少なくとも電磁石を有する場合も有利である。電磁石は例えばスプリング力のセットにも利用される。
【００１５】
考案の実施例では、エネルギー蓄積装置ははね上げ扉が開いているときに充電が可能である。放電したエネルギー蓄積装置の駆動装置は少なくともはね上げ扉が開く過程ではね上げ扉と連結するので、はね上げ扉が開くときにエネルギー蓄積装置が充電される。考案の別の実施例では放電したエネルギー蓄積装置の駆動装置は少なくとも閉じる過程ではね上げ扉と連結するので、はね上げ扉が閉じるときにエネルギー蓄積装置は充電される。
【００１６】
考案の実施例では、はね上げ扉ははね上げ扉の閉位置に相当する第１最終位置を有し、はね上げ扉は圧力が作用するとこの第１最終位置から閉じる方向の家具により近い位置の第２最終位置に可動する。標準の閉位置ではね上げ扉に主に手動で圧力を作用させると、少なくとも一時的に第２最終位置に可動し、エネルギー蓄積装置はこの第２最終位置で解除されるように有利に構成されている。はね上げ扉にグリップが取り付けられていない場合は特に有利である。はね上げ扉はこのように、タッチラッチ方式として周知になっているように、閉じ方向の閉位置背後の解除位置に可動する。当然ながら、タッチラッチ方式は基本的にグリップの付いたはね上げ扉でも採用できる。
【００１７】
考案の別の実施例では、はね上げ扉が閉じて第１最終位置に到達する前にエネルギー蓄積装置が完全に充電される場合、はね上げ扉はフィーダーによって第２最終位置に可動されるという利点がある。はね上げ扉が閉じるときに、駆動装置が充電されたエネルギー蓄積装置によってはね上げ扉から外れるという少なくともはね上げ扉が閉位置に閉じる過程の位置で、フィーダーははね上げ扉と連結する。言い換えると、はね上げ扉は、少なくとも閉位置に閉じる過程の位置で、固定された駆動装置によって充電されたエネルギー蓄積装置とは減結合し、はね上げ扉を閉位置に可動するフィーダーと連結する前に、はね上げ扉は駆動装置のエネルギー蓄積装置放電後にその開閉過程でエネルギー蓄積装置を充電するためにまず駆動装置と結合する。この場合、駆動装置とはね上げ扉の減結合がフィーダーとの結合直前か、あるいはそれ以前かは重要ではない。はね上げ扉が少なくとも閉じる過程の閉位置直前で固定された駆動装置によって減結合することが重要である。家具はフィーダー以外に、少なくとも最後の閉じる過程ではね上げ扉の可動を抑制するダンパーも有している。
【００１８】
閉位置から開位置にはね上げ扉を突き出すために、駆動装置がはね上げ扉および／または家具とともに緩いストッパーを介して作用させることができる。駆動装置がはね上げ扉および／または家具とともにギヤを介して作用する場合、その利点が発揮される。２：１の減速比の減速ギヤを配置していると、エネルギー蓄積装置の充電に必要なエネルギーを供給するのに、利用者は２倍のストロークでも半分のエネルギーですむ。ギヤがはね上げ扉と駆動装置に配置される少なくとも２つのラックを備え、ラックが１つまたは複数の歯車によって相互に連結することによって、構造を簡易的にすることができる。
【００１９】
考案の実施例では、駆動装置を家具に配置してもよい。駆動装置をはね上げ扉に配置するという考案の範囲である。駆動装置に電動機またはソレノイドを配置してもよい。
【００２０】
はね上げ扉を突き出す駆動装置を作動させるため、駆動装置を主に機械的及び／または電気的に作用する操作装置を介して作動するように有利に構成することができる。駆動装置を主に家具底板の開口部を通したワイヤーを介して作動するようにし、はね上げ扉が閉じてもワイヤーは動作するように有利にすることができる。それとは別に、駆動装置に家具または家具以外の位置に配置し、駆動装置を作動させる電気的および／または機械的なスイッチ、主に押しボタンを備えてもよい。駆動装置を作動させるために、音声認識装置（マイクロフォンなど）、光学的検出装置（カメラなど）、センサ装置（運動センサなど）を配置してもよい。
【００２１】
本考案の優先実施例として、少なくとも主に水平軸で回転し、はね上げ扉を可動するためのレバーで駆動装置を作動している。この種のレバーは調整アームとして公知のものであり、はね上げ扉の可動過程を決定する制御アームを配置することもできる。家具とはね上げ扉でレバーが回転するように取り付ける場合に有利である。それとは別に、はね上げ扉を動かすために少なくとも２つを相互にヒンジ結合させたレバーを配置してもよい。その場合少なくとも２つのレバーの間で突出し装置が作動する形態にし、レバーの作動によってはね上げ扉を突出すようにする。
【００２２】
考案の別の有利な実施形態では、突出し装置の一部を家具に、別の一部をはね上げ扉に配置し、突出し装置の両方が常に相互に連結するようになっている。
【００２３】
考案の別の有利な実施形態では、突出し部が少なくともタペットによって構成されている。タペットが少なくとも２つの伸縮可能に配置した部品を有し、主に部品の可動が相互に抑制されると有利である。これによって、他に部品を用いないではね上げ扉が閉じるときの緩和を図ることができる。伸縮可能に配置した部品の主要機能は、タペットを液体動力蓄積装置としたり、部品を別の部品にスプリング作用形式で配置したりするなど専門家が周知の方式で実現できる。
【００２４】
別の実施例では、突出し部を回転式のレバーによって構成している。この方式では、レバーが少なくともホイールを有し、それがはね上げ扉の内側で一時的に回転する場合に有利である。駆動装置ははね上げ扉の閉位置でレバーを作動させる。駆動装置が作動するとレバーが回転し、ホイールは開位置になるまではね上げ扉の内側を回転する。
【考案の効果】
【００２５】
以上、詳述した通り、本考案においては、
「家具（１）が駆動装置（４）によって作動する突出し部（５）によりはね上げ扉（２）を閉位置から開位置に動かす突出し装置（３）を有し、はね上げ扉（２）は一体構造で家具（１）とはヒンジで結合していることを特徴とする少なくとも可動式はね上げ扉を備えた家具」
にその主たる特徴があり、これにより、はね上げ扉の操作が容易な家具を提案することができるのである。
【考案を実施するための最良の形態】
【００２６】
図１ａから図１ｄまでは、可動式はね上げ扉２を備えた家具１の各種実施形態を示している。家具１は側板７、天板６、底板８を有している。図１ａは、一体構造で家具１とヒンジ結合しているいわゆる上部はね上げ扉を示している。上部はね上げ扉１は水平軸９の周りを回転し、天板６と連結する。考案では駆動装置４と少なくとも突出し部５を有する突出し装置３を配置している。突出し部５は駆動装置４によって作動する構造となっていて、はね上げ扉２は閉位置から開位置に可動する。
【００２７】
図１ｂはいわゆる上部折畳みはね上げ扉で、はね上げ扉は少なくとも２つの部分はね上げ扉２、２′で構成されている。上側部分はね上げ扉２は水平軸９で家
具１の主に天板６とヒンジ結合している。下側部分はね上げ扉２′は水平軸９′
で回転できるように上側部分はね上げ扉２と結合し、両方の水平軸９と９′はそ
れぞれ平行になっている。閉位置で２つの部分はね上げ扉２、２′は連続して配
置される。部分はね上げ扉２、２′が開位置に可動すると、上側部分はね上げ扉
２は外側に回転し、第２の部分は、はね上げ扉２′は手前に回転し、２つの部分はね上げ扉２、２′は折り重なる。突出し装置３は図１ａと同様の部品を備えて
いる。
【００２８】
図１ｃは上部旋回はね上げ扉で、はね上げ扉２は一体構造で家具１の後方へ回転する。
【００２９】
図１ｄはいわゆる上部リフトはね上げ扉で、はね上げ扉２は全体の開閉過程で主に家具１の前面と平行になっている。
【００３０】
図示した各種はね上げ扉には、はね上げ扉２の可動調整機構について詳細に記していない。はね上げ扉２の可動形式は専門家にとって周知の方式で実現できる。その方法としては、はね上げ扉２を動かす調整アームや可動を制御する制御アームなど従来技術によるすべての公知の方法を含むものとする。主に調整構造のスプリング装置（スプリング、ガス圧蓄積装置など）でもよい。また、主に任意開位置ではね上げ扉を保持するために十分な力を備えていなければならない。
【００３１】
図２ａから図２ｃは家具１のある実施例の横断面図である。はね上げ扉２は、図１ｂで示した上部折畳みはね上げ扉の実施例である。図２ａでは、閉位置に部分はね上げ扉２、２′が位置している家具１を示している。駆動装置４と回転式
レバー１１の形式となっている突出し部５を備えた突出し装置３は、部分はね上げ扉２、２′を閉位置から開位置に動かす。さらに突出し装置３は、駆動装置４
を作動させるワイヤー形式の操作装置１０を配置している。操作装置１０が引っ張られると、駆動装置４が作動し、図２ｂで示しているように回転式レバー１１が作動する。図２ｂは家具１の概要図で、２つの部分はね上げ扉２、２′の位置
は対立的な閉位置にある。下側部分はね上げ扉２′の下部に圧力が作用すると圧
力スイッチ１０′が押し込まれ、操作装置１０によって駆動装置４と回転式レバ
ー１１が作動する。このような操作方式は、一般的に「タッチラッチ装置」として周知となっている。図２ｃは、両方の部分はね上げ扉２、２′が開位置の家具
１を示している。突出し装置３は、はね上げ扉２、２′を開位置に可動させた後
で静止位置に戻っている。水平軸９、９′となっている両方の部分はね上げ扉２
、２′は、ほぼ折り重なる位置になっている。
【００３２】
図２ｄは、図２ａ〜２ｃの家具１の斜視図を示している。駆動装置３は図の実施例では側板７に固定され、側板７と底板８に密着している。図２ｅは図２ｄのＡ部詳細図である。駆動装置４は、はね上げ扉２の開口過程で末端にホイール１２を配する回転式レバー１１を作動させる。レバー１１が回転すると、ホイール１２は下側部分はね上げ扉２′の内側で両方の部分はね上げ扉２、２′が十分な
開位置となるまで回転し、図示していないがはね上げ扉の重心調整をするスプリング装置によって保持される。駆動装置４は２つの操作装置１０、１０′のいず
れかで作動する。操作装置１０′は機械的または電気的に作動するスイッチで、
圧力がかかると動作し、駆動装置４を作動させる。操作装置１０は、底板８の開口部１４を通じて延びているワイヤーを有している。ワイヤーが引っ張られると同様に駆動装置４が作動する。電流供給装置１３は電源（外部電源、バッテリ）と結合できるコネクタなどを有している。突出し装置３すべての部品は特に共通ハウジングに収納し、独立ユニットにしている。
【００３３】
図３は、図１ａに示した上部はね上げ扉２の別の実施例を示している。はね上げ扉２を動かすために１つ望ましくは２つのレバー１５、１５′を、１つは家具
１の側板７に、もう１つははね上げ扉２の内側に配置している。突出し装置３は、２つのレバー１５、１５′の間で作動するように配置されている。このように
することによって、閉位置のはね上げ扉２は、突出し装置３によるレバー１５、１５′の伸びによって開位置に可動する。
【００３４】
図４ははね上げ扉２のタッチラッチ方式を示している。はね上げ扉２がはね上げ扉２の閉位置に相当する第１最終位置Ｘを配し、はね上げ扉２が圧力作用によって第１最終位置Ｘから家具に近い位置の第２最終位置Ｙに可動する場合に有利である。この場合、突出し装置のエネルギー蓄積装置が第２最終位置Ｙで解除される。フィーダーが備えられていれば、はね上げ扉２を第１最終位置Ｘから第２最終位置Ｙに動かすのに有利である。
【００３５】
本考案は図示した実施例に限定されるものではなく、あらゆる種類の以下の請求項の範囲に記載している同等対象に適用できる。明細書で選定した取付位置の上部、下部、側部でも、図示したそのままの位置でも、同じ意味合いで別の位置に変更してもよい。
【図面の簡単な説明】
【００３６】
【図１ａ】はね上げ扉を閉位置から開位置に動かす突出し装置を表示したａ種のはね上げ扉の横断面図である。
【図１ｂ】はね上げ扉を閉位置から開位置に動かす突出し装置を表示したｂ種のはね上げ扉の横断面図である。
【図１ｃ】はね上げ扉を閉位置から開位置に動かす突出し装置を表示したｃ種のはね上げ扉の横断面図である。
【図１ｄ】はね上げ扉を閉位置から開位置に動かす突出し装置を表示したｄ種のはね上げ扉の横断面図である。
【図２ａ】はね上げ扉が開くときの第１プロセスを示す家具の側面図である。
【図２ｂ】はね上げ扉が開くときの第２プロセスを示す家具の側面図である。
【図２ｃ】はね上げ扉が開くときの第３プロセスを示す家具の側面図である。
【図２ｄ】はね上げ扉が開くときの第３プロセスを示す家具の斜視図である。
【図２ｅ】図２ｄ中の丸Ａで囲った部分の拡大斜視図である。
【図３ａ】相互に結合している２つのレバーを備えた家具の実施例の側面図である。
【図３ｂ】はね上げ扉に第１最終位置と第２最終位置がある、考案による別の実施例に係る家具の側面図である。
【符号の説明】
【００３７】
１  家具
２、２′  扉
３  突出し装置
４  駆動装置
５  突出し部
６  天板
７  側板
８  底板
９、９′  水平軸
１０  操作装置
１１  回転式レバー
１２  ホイール
１３  電流供給装置
１４  開口部
１５、１５′  レバー
【図１ａ】
0003121942.tif 000003
【図１ｂ】
0003121942.tif 000004
【図１ｃ】
0003121942.tif 000005
【図１ｄ】
0003121942.tif 000006
【図２ａ】
0003121942.tif 000007
【図２ｂ】
0003121942.tif 000008
【図２ｃ】
0003121942.tif 000009
【図２ｄ】
0003121942.tif 000010
【図２ｅ】
0003121942.tif 000011
【図３ａ】
0003121942.tif 000012
【図３ｂ】
0003121942.tif 000013